(57)【要約】【課題】左右方向並びに上下方向からも覗き見を防止すると共に、安価に作成できるディスプレイ用フィルターを提供しようとするものである。【解決手段】本発明は、透明部と不透明部とからなり、不透明部を配向させた透明フィルムを用いた覗き見を防止するディスプレイ用フィルターにおいて、不透明部の配向方向とフィルターの底辺との角度が３０〜６０度であることを特徴とする覗き見を防止するディスプレイ用フィルターであり、透明部と不透明部とがクレーズ加工やルーバー加工により形成されるディスプレイ用フィルターである。【選択図】図５
2008032970.tif 000002
【特許請求の範囲】
【請求項１】
透明部と不透明部とからなり、不透明部を配向させた透明フィルムを用いた覗き見を防止するディスプレイ用フィルターにおいて、不透明部の配向方向とフィルターの底辺との角度が３０〜６０度であることを特徴とする覗き見を防止するディスプレイ用フィルター。
【請求項２】
透明部と不透明部とがクレーズ加工により形成されることを特徴とする請求項１記載の覗き見を防止するディスプレイ用フィルター。
【請求項３】
透明部と不透明部とがルーバー加工により形成されることを特徴とする請求項１記載の覗き見を防止するディスプレイ用フィルター。
【発明の詳細な説明】
【技術分野】
【０００１】
本発明は、携帯電話、ＰＤＡ（Ｐｅｒｓｏｎａｌ  Ｄｉｇｉｔａｌ  Ａｓｓｉｓｔａｎｃｅ）、パソコン用液晶ディスプレイ等のディスプレイ表面に貼り付けて使用する覗き見を防止するためのフィルターに関するものである。
【背景技術】
【０００２】
近年、大きな画面を有し、各種データの管理や通信、表示が可能な携帯型情報処理端末として、携帯電話やＰＤＡ等が普及している。この種の携帯型情報処理端末は、文字などが表示されるディスプレイを有しており、ディスプレイに表示される内容が、当該機器の利用者に隣接した人に覗かれるという可能性が否定できない。特に近年は、個人情報保護やプライバシーの問題もあり、覗き見ができる状態を防ぎたいという要望がある。
【０００３】
従来、こういった要望に対して、透明部と不透明部とからなり、不透明部の配向方向がフィルターの底辺に対して垂直（９０度）に配向した透明フィルムを用いたフィルターが開発されている。このようなフィルターをディスプレイ表面に貼り付けると、一定の視野角の外側からはディスプレイの表示内容が見えなくなる。隣接した人からの覗き見を防止することができるようになっている。
【特許文献１】特開平１１−３３５４７７号公報
【特許文献２】特開２００２−２５８０１０号公報
【発明の開示】
【発明が解決しようとする課題】
【０００４】
しかしながら、不透明部の配向方向がフィルターの底辺に対して垂直（９０度）に配向したフィルターでは、左右方向に隣接した人からの覗き見を防止することはできるが、上下方向に隣接した人からの覗き見を防止することはできない。
【０００５】
図１〜３を用いて、これを詳細に説明する。図１で示したディスプレイ表面に貼り付けた従来の覗き見を防止するディスプレイ用フィルター１は、透明部２と不透明部３とからなり、不透明部３の配向方向がフィルター１の底辺に対して垂直（９０度）に配向しているものである。
【０００６】
この場合、図２に示したように、正面にいる使用者５からは見ることができる（図２の○印）が、左右方向に隣接した人６からは見ることができず（図２の×印）、覗き見を防止している。
【０００７】
しかしながら、図３に示したように、正面にいる使用者５からは見ることができ（図３の○印）、左右方向に隣接した人６からは見ることができない（図３の×印）が、上下方向に隣接した人７からは見ることができ（図３の○印）、上下方向からの覗き見を防止することができていない。
【０００８】
上下方向からの覗き見を防止するための改善策として、図４のように、不透明部の配向方向がフィルター１の底辺に対して垂直に配向しているものに、不透明部の配向方向がフィルターの底辺に対して水平に配向しているものを重ね合わせることにより、左右方向並びに上下方向からの覗き見を防止することを可能にしたものがある。しかしこの方式では、フィルターが２枚必要となり高コストとなってしまう。
【０００９】
そこで、本発明は、左右方向並びに上下方向からも覗き見を防止すると共に、安価に作成できるディスプレイ用フィルターを提供しようとするものである。
【課題を解決するための手段】
【００１０】
本発明は、透明部と不透明部とからなり、不透明部を配向させた透明フィルムを用いた覗き見を防止するディスプレイ用フィルターにおいて、不透明部の配向方向とフィルターの底辺との角度が３０〜６０度であることを特徴とする覗き見を防止するディスプレイ用フィルターであり、透明部と不透明部とがクレーズ加工やルーバー加工により形成されるディスプレイ用フィルターである。
【００１１】
本発明におけるディスプレイ用フィルターとは、携帯電話やＰＤＡ、パソコン用液晶ディスプレイ等のディスプレイ表面に貼り付けて使用するもののことである。
【００１２】
ここでクレーズとは、透明な高分子樹脂フィルムを、高分子樹脂の分子配向方向と平行な方向に折り曲げることで生成される細かなひびのような模様のことを意味する。
【００１３】
そして、本発明におけるクレーズ加工とは、例えば、前記のようにしてクレーズを生成させた後、分子配向方向と同じであるクレーズの配向方向に対して垂直な方向へフィルムを引っ張ることにより、連続的な縞状のクレーズをフィルム上に形成することである。なおこのクレーズ加工では、クレーズ部が不透明部であり、それ以外の部分が透明部である。
【００１４】
ここでルーバーとは、羽板のような細長い板状のもののことを意味する。
【００１５】
そして、本発明におけるルーバー加工とは、例えば、光を吸収するために着色した樹脂フィルムからなる着色層と透明な樹脂フィルムからなる透明層とを交互に積層させて、積層方向と垂直に一定の厚さで切断することにより、透明部と不透明部を形成することである。なおこのルーバー加工では、着色層がルーバーに相等し、ルーバーである着色層が不透明部であり、透明層が透明部であり、ルーバーの着色層方向が不透明部の配向方向とする。
【００１６】
ルーバーとなる不透明部としての着色層には、ポリ塩化ビニル、ポリエチレン、ポリプロピレンポリ酢酸ビニル、セルロース誘導体、ウレタン樹脂、シリコーンゴムなどに酸化鉄黒、カーボンブラック、チタニウムブラックなどの各種顔料、アニリンブラック等の各種染料、炭酸カルシウム、クレイ、アルミ亜、湿式シリカ、乾式シリカなどの各種充填剤、金属粉末、カーボンファイバー、天然繊維、合成繊維金属線などの短繊維粉末などが配合されたものが用いられる。
【００１７】
本発明は、上記課題を解決するため、不透明部の配向方向とフィルターの底辺との角度が３０〜６０度にしたことを最も主要な特徴とする。
【発明の効果】
【００１８】
本発明のディスプレイ用フィルターは、左右方向からの覗き見を防止でき、かつ、上下方向からの覗き見も防止でき、また複数のフィルターを重ね合わせる必要がなく、安価に製造できるという利点がある。
【発明を実施するための最良の形態】
【００１９】
本発明であるフィルターのディスプレイへの貼り付けには、自己粘着性を有する粘着剤を用いる。ここで自己粘着性とは、フィルムが自重による圧力により被着面に対して粘着性を示す特性のことを意味し、上述の粘着剤は、熱可塑性エラストマーが可塑剤により可塑化され、凝集力が低下して自己粘着性が発現するものである。
【００２０】
上述の性能を有する熱可塑性エラストマートしては、ポリスチレン−ポリイソブチレン−ポリスチレン（ＳＩＳ）、ポリスチレン−ポリブチレン−ポリスチレン（ＳＢＳ）、ポリスチレン-ポリ（エチレン／ブチレン）ブロック−ポリスチレン（ＳＥＢＳ）、ポリスチレン-ポリ（エチレン／プロピレン）ブロック−ポリスチレン（ＳＥＰＳ）、ポリスチレン−ポリイソプレン（ＳＩ）、ポリスチレン−ポリブチレン（ＳＢ）ポリスチレン−ポリ（エチレン／プロピレン）ブロック（ＳＥＰ）などが挙げられる。中でもポリスチレン-ポリ（エチレン／ブチレン）ブロック−ポリスチレン（ＳＥＢＳ）が好ましい。
【００２１】
以下、本発明の実施例を詳細に説明する。
【実施例１】
【００２２】
透明部と不透明部とをクレーズ加工により形成した。透明な高分子樹脂フィルムとして、ポリプロピレンフィルムを用いた。不透明部として、このフィルムの分子配向方向と平行な方向に折り曲げてクレーズを生成させ、クレーズの配向方向に対して垂直な方向へこのフィルムを引っ張ることにより、連続的な縞状のクレーズ（不透明部）を形成した。なお、クレーズが生成されない部分が透明部となる。
【００２３】
こうしてできた透明部と不透明部とからなるフィルムの片面にポリスチレン-ポリ（エチレン／ブチレン）ブロック−ポリスチレン（ＳＥＢＳ）と可塑剤の混合物を塗布し、自己粘着性を有する粘着層を設けた。この粘着層に離型フィルムとして、表面をシリコーン処理したＰＥＴ（ポリエチレンテレフタレート）フィルムを貼り合わせ、ディスプレイ用フィルターシートを形成した。
【００２４】
このディスプレイ用フィルターシートを、不透明部の配向方向とフィルターの底辺との角度が４５度となるようにダイカットして、４５度のディスプレイ用フィルターシートを製造した。
【実施例２】
【００２５】
実施例１と同様にして形成したディスプレイ用フィルターシートを、不透明部の配向方向とフィルターの底辺との角度が６０度となるようにダイカットし、６０度のディスプレイ用フィルターシートを製造した。
【実施例３】
【００２６】
実施例１と同様にして形成したディスプレイ用フィルターシートを、不透明部の配向方向とフィルターの底辺との角度が３０度となるようにダイカットし、３０度のディスプレイ用フィルターシートを製造した。
【実施例４】
【００２７】
透明部と不透明部とをルーバー加工により形成した。透明部としての透明層には、透明な高分子樹脂フィルムであるＰＥＴ（ポリエチレンテレフタレート）フィルムを用いた。ルーバーとなる不透明部としての着色層には、カーボンブラックで着色したポリ塩化ビニルを用いた。これら透明層と着色層とを交互に多数積層させて、所望の厚さになるまで積層させた。そして積層方向と垂直に一定の厚さで切断することでシート状にした。
【００２８】
こうしてできた透明部と不透明部があるシートの片面にポリスチレン-ポリ（エチレン／ブチレン）ブロック−ポリスチレン（ＳＥＢＳ）と可塑剤の混合物を塗布し、自己粘着性を有する粘着層を設けた。この粘着層に離型フィルムとして、表面をシリコーン処理したＰＥＴフィルムを貼り合わせ、ディスプレイ用フィルターシートを形成した。
【００２９】
このディスプレイ用フィルターシートを、ルーバーの着色層方向である不透明部の配向方向とフィルターの底辺との角度が４５度となるようにダイカットして、４５度のディスプレイ用フィルターシートを製造した。
【実施例５】
【００３０】
実施例４と同様にして形成したディスプレイ用フィルターシートを、不透明部の配向方向とフィルターの底辺との角度が６０度となるようにダイカットし、６０度のディスプレイ用フィルターシートを製造した。
【実施例６】
【００３１】
実施例４と同様にして形成したディスプレイ用フィルターシートを、不透明部の配向方向とフィルターの底辺との角度が３０度となるようにダイカットし、３０度のディスプレイ用フィルターシートを製造した。
【実施例７】
【００３２】
実施例１と同様にして形成したディスプレイ用フィルターシートを、不透明部の配向方向とフィルターの底辺との角度が２０度となるようにダイカットし、２０度のディスプレイ用フィルターシートを製造した。
【実施例８】
【００３３】
実施例１と同様にして形成したディスプレイ用フィルターシートを、不透明部の配向方向とフィルターの底辺との角度が７０度となるようにダイカットし、７０度のディスプレイ用フィルターシートを製造した。
【実施例９】
【００３４】
実施例４と同様にして形成したディスプレイ用フィルターシートを、不透明部の配向方向とフィルターの底辺との角度が２０度となるようにダイカットし、２０度のディスプレイ用フィルターシートを製造した。
【実施例１０】
【００３５】
実施例４と同様にして形成したディスプレイ用フィルターシートを、不透明部の配向方向とフィルターの底辺との角度が７０度となるようにダイカットし、７０度のディスプレイ用フィルターシートを製造した。
【００３６】
［評価試験］（覗き見防止性能）それぞれの実施例で製造したディスプレイ用フィルターシートの離型フィルムを剥がして、それぞれのディスプレイ用フィルターをディスプレイに貼り付けた。そのフィルターを通したディスプレイ表示内容を視認して、視認できたものを○、視認できなかったものを×として、正面、左右方向、上下方向を評価した。なお、図６に示すように、フィルター面に対して垂直な正面にいる使用者５を視野角１０の中心とし、視野角１０が９０度以上の角度で、左右方向並びに上下方向を評価した。
【００３７】
［評価結果］
【表１】
2008032970.tif 000003
【００３８】
評価結果の通り、本発明である実施例１から６では、正面からは視認することはできるが、左右方向並びに上下方向からは視認することができず、覗き見を防止することができている。しかし、本発明の角度よりずれると、実施例７から１０の結果の通り、左右方向もしくは上下方向のどれかにおいて視認することができ、覗き見を防止することができていない。
【００３９】
図７に示すように、本発明である実施例１から６では、正面にいる使用者５からはディスプレイの表示内容を見ることができる（図７の○印）が、左右方向に隣接した人６並びに上下方向に隣接した人７からは見ることができず（図７の×印）、覗き見を防止している。
【図面の簡単な説明】
【００４０】
【図１】ディスプレイ表面に貼り付けた従来の覗き見を防止するディスプレイ用フィルターの模式図。
【図２】左右方向に隣接した人の覗き見を防止している説明図。
【図３】上下方向に隣接した人から覗き見されている説明図。
【図４】上下方向からの覗き見を防止するための従来の改善策。
【図５】ディスプレイ表面に貼り付けた本発明の覗き見を防止するディスプレイ用フィルターの模式図。
【図６】評価試験の視野角を説明した図。
【図７】左右方向並びに上下方向に隣接した人の覗き見を防止している説明図。
【符号の説明】
【００４１】
１    従来の覗き見を防止するディスプレイ用フィルター
２    透明部
３    不透明部
４    ディスプレイ
５    正面にいる使用者
６    左右方向に隣接した人
７    上下方向に隣接した人
８    本発明の覗き見を防止するディスプレイ用フィルター
９    不透明部の配向方向とフィルターの底辺との角度
１０    視野角
【図１】
2008032970.tif 000004
【図２】
2008032970.tif 000005
【図３】
2008032970.tif 000006
【図４】
2008032970.tif 000007
【図５】
2008032970.tif 000008
【図６】
2008032970.tif 000009
【図７】
2008032970.tif 000010